(57)【要約】【課題】複数のチューナのうちいずれか１つのチューナを用いてチャンネル毎の電界強度を測定し、その結果に基づいてブースタの制御電圧を更新することにより、常に適切な電界強度で受信可能とする。【解決手段】ブースタ制御装置１０は、アンテナ１１からのテレビ信号を増幅するブースタ１２、各チャンネルの電界強度を測定可能なチューナ１５及び１６、ブースタ１２のゲインを切り替える切替回路１３、切替回路１３に入力する制御電圧値をチャンネル毎に記憶したメモリ１８、一方のチューナ１５で受信したチャンネルの制御電圧値をメモリ１８から選択し、その制御電圧を切替回路１３に入力してブースタ１２のゲインを切替制御する制御部１７を備える。制御部１７は、他方のチューナ１６で測定された各チャンネルの電界強度から制御電圧値を求め、該制御電圧値と、メモリ１８の制御電圧値とを比較し、その結果が異なる場合にメモリ１８の制御電圧値を更新する。【選択図】図１
2005184486.tif 000002
【特許請求の範囲】
【請求項１】
アンテナを介して入力されるテレビジョン信号を増幅するブースタと、各チャンネルの電界強度を測定可能な複数のチューナと、該チューナで測定される各チャンネルの電界強度に応じた制御電圧に従って前記ブースタのゲインを切り替えるゲイン切替手段と、該ゲイン切替手段に入力する制御電圧値をチャンネル毎に記憶した記憶手段と、前記複数のチューナに含まれる１つのチューナで受信したチャンネルの制御電圧値を前記記憶手段から選択し、その制御電圧を前記ゲイン切替手段に入力して前記ブースタのゲインを切り替え制御する制御手段とを備えたブースタ制御装置において、前記複数のチューナに含まれる他のチューナは、定期的あるいは任意のタイミングで各チャンネルの電界強度を測定し、前記制御手段は、前記他のチューナで測定された各チャンネルの電界強度に基づいて前記ブースタの制御電圧値を求め、該求めた制御電圧値と、前記記憶手段に記憶されている制御電圧値とを比較し、その結果が異なる場合に前記記憶手段に記憶されている制御電圧値を更新することを特徴とするブースタ制御装置。
【請求項２】
請求項１に記載のブースタ制御装置において、前記制御手段は、前記各チャンネルの電界強度を測定する他のチューナのＲＦＡＧＣ特性を、電界強度に応じて制御可能としたことを特徴とするブースタ制御装置。
【請求項３】
請求項１又は２に記載のブースタ制御装置において、前記ブースタのゲインを切り替えるための制御電圧値は、前記各チャンネルの電界強度を測定する他のチューナのＲＦＡＧＣ特性に基づいて設定されることを特徴とするブースタ制御装置。
【請求項４】
請求項１乃至３のいずれか１に記載のブースタ制御装置を一体で設けたテレビジョン装置。
【請求項５】
アンテナを介して入力されるテレビジョン信号を増幅するブースタと、各チャンネルの電界強度を測定可能な複数のチューナと、該チューナで測定される各チャンネルの電界強度に応じた制御電圧に従って前記ブースタのゲインを切り替えるゲイン切替手段と、該ゲイン切替手段に入力する制御電圧値をチャンネル毎に記憶した記憶手段と、前記複数のチューナに含まれる１つのチューナで受信したチャンネルの制御電圧値を前記記憶手段から選択し、その制御電圧を前記ゲイン切替手段に入力して前記ブースタのゲインを切り替え制御する制御手段とを備えたブースタ制御装置を用いてチャンネル毎の電界強度を適正化するための電界強度適正化方法において、前記複数のチューナに含まれる他のチューナにより定期的あるいは任意のタイミングで各チャンネルの電界強度を測定し、該測定した各チャンネルの電界強度に基づいて前記ブースタの制御電圧値を求め、該求めた制御電圧値と、前記記憶手段に記憶されている制御電圧値とを比較し、その結果が異なる場合に前記記憶手段に記憶されている制御電圧値を更新することを特徴とする電界強度適正化方法。
【請求項６】
請求項５に記載の電界強度適正化方法において、前記各チャンネルの電界強度を測定する他のチューナのＲＦＡＧＣ特性を、電界強度に応じて制御可能としたことを特徴とする電界強度適正化方法。
【請求項７】
請求項５又は６に記載の電界強度適正化方法において、前記ブースタのゲインを切り替えるための制御電圧値は、前記各チャンネルの電界強度を測定する他のチューナのＲＦＡＧＣ特性に基づいて設定されることを特徴とする電界強度適正化方法。
【発明の詳細な説明】
【技術分野】
【０００１】
本発明は、ブースタ制御装置、テレビジョン装置、及び電界強度適正化方法、より詳細には、電波状況が変化した場合でも各チャンネルを適切な電界強度で受信できるようにするためのブースタ制御装置、テレビジョン装置、及び電界強度適正化方法に関する。
【背景技術】
【０００２】
テレビジョン放送信号を増幅して受信するためのテレビジョン受像機に関し、例えば、特許文献１には、弱電界のチャンネルと強電界のチャンネルが同時に存在する地域においてチューナのＲＦＡＧＣレベルで制御しきれない信号状態であっても、テレビジョン受像機の受信性能を改善できるようにした電界強度適正化回路が開示されている。これについて下記の図４に基づいて説明する。
図４は、従来の電界強度適正化回路の構成例を示すブロック図で、図中、１００は電界強度適正化回路で、該電界強度適正化回路１００は、地上波用アンテナ１０１，ブースタ１０２，ゲイン切替回路１０３，分配器１０４，地上波チューナ１０５，地上波チューナ１０６，選局制御マイコン１０７，メモリ１０８を備えている。メモリ１０８には、チャンネル毎にブースタ１０２のゲインを切り替え制御するための制御電圧値が記憶されている。
【０００３】
上記電界強度適正化回路１００は、２つのチューナ（地上波チューナ１０５及び地上波チューナ１０６）を備えると共に、ブースタ１０２にはゲイン切替回路１０３を備え、分配器１０４の２つの出力端子にそれぞれ地上波チューナ１０５と地上波チューナ１０６が接続されている。さらに、選局制御マイコン１０７は、ブースタ１０２のゲイン切替回路１０３に接続され、この信号ラインを通じてメモリ１０８に記憶されているチャンネル毎の制御電圧値を元に選局時にブースタ１０２のゲインを切り替えるようにゲイン切替回路１０３を制御する。さらに、選局制御マイコン１０７は、地上波チューナ１０６のＲＦＡＧＣ端子に接続され、これでチャンネル設定時に地上波チューナ１０６の動作状態を監視してブ−スタ１０２のゲイン切替回路１０３をどのように設定するかを決定し、メモリ１０８にチャンネル毎のゲイン切替回路１０３の設定を記憶させる。
【特許文献１】特開２０００−１３７００号公報
【発明の開示】
【発明が解決しようとする課題】
【０００４】
しかしながら、上記特許文献１において説明したテレビジョン受像機では、チャンネル設定時に電界強度を測定するため、その後の電波状況により電界強度に変化が起こった場合に対応することができなかった。
また、ＲＦＡＧＣレベルによる制御は、強電界領域での混変調回避の意味合いが強いため、ブースタの制御電圧を設定するための信号としては適切でない場合があった。
また、チューナ動作中にブースタのゲインを切り替えると映像、音声にノイズ等が発生する恐れがあり、好ましくない。
【０００５】
本発明は、上述のごとき実情に鑑みてなされたものであり、複数のチューナのうちいずれか１つのチューナを用いてチャンネル毎の電界強度を測定し、その測定結果に基づいてブースタの制御電圧を更新可能とすることにより、各チャンネルとも常に適切な電界強度で受信できるようにしたブースタ制御装置、テレビジョン装置、及び電界強度適正化方法を提供すること、を目的としてなされたものである。
【課題を解決するための手段】
【０００６】
上記課題を解決するために、第１の技術手段は、アンテナを介して入力されるテレビジョン信号を増幅するブースタと、各チャンネルの電界強度を測定可能な複数のチューナと、該チューナで測定される各チャンネルの電界強度に応じた制御電圧に従って前記ブースタのゲインを切り替えるゲイン切替手段と、該ゲイン切替手段に入力する制御電圧値をチャンネル毎に記憶した記憶手段と、前記複数のチューナに含まれる１つのチューナで受信したチャンネルの制御電圧値を前記記憶手段から選択し、その制御電圧を前記ゲイン切替手段に入力して前記ブースタのゲインを切り替え制御する制御手段とを備えたブースタ制御装置において、前記複数のチューナに含まれる他のチューナは、定期的あるいは任意のタイミングで各チャンネルの電界強度を測定し、前記制御手段は、前記他のチューナで測定された各チャンネルの電界強度に基づいて前記ブースタの制御電圧値を求め、該求めた制御電圧値と、前記記憶手段に記憶されている制御電圧値とを比較し、その結果が異なる場合に前記記憶手段に記憶されている制御電圧値を更新することを特徴としたものである。
【０００７】
第２の技術手段は、第１の技術手段において、前記制御手段は、前記各チャンネルの電界強度を測定する他のチューナのＲＦＡＧＣ特性を、電界強度に応じて制御可能としたことを特徴としたものである。
【０００８】
第３の技術手段は、第１又は第２の技術手段において、前記ブースタのゲインを切り替えるための制御電圧値は、前記各チャンネルの電界強度を測定する他のチューナのＲＦＡＧＣ特性に基づいて設定されることを特徴としたものである。
【０００９】
第４の技術手段は、第１乃至第３のいずれか１の技術手段に記載のブースタ制御装置を一体で設けたテレビジョン装置である。
【００１０】
第５の技術手段は、アンテナを介して入力されるテレビジョン信号を増幅するブースタと、各チャンネルの電界強度を測定可能な複数のチューナと、該チューナで測定される各チャンネルの電界強度に応じた制御電圧に従って前記ブースタのゲインを切り替えるゲイン切替手段と、該ゲイン切替手段に入力する制御電圧値をチャンネル毎に記憶した記憶手段と、前記複数のチューナに含まれる１つのチューナで受信したチャンネルの制御電圧値を前記記憶手段から選択し、その制御電圧を前記ゲイン切替手段に入力して前記ブースタのゲインを切り替え制御する制御手段とを備えたブースタ制御装置を用いてチャンネル毎の電界強度を適正化するための電界強度適正化方法において、前記複数のチューナに含まれる他のチューナにより定期的あるいは任意のタイミングで各チャンネルの電界強度を測定し、該測定した各チャンネルの電界強度に基づいて前記ブースタの制御電圧値を求め、該求めた制御電圧値と、前記記憶手段に記憶されている制御電圧値とを比較し、その結果が異なる場合に前記記憶手段に記憶されている制御電圧値を更新することを特徴としたものである。
【００１１】
第６の技術手段は、第５の技術手段において、前記各チャンネルの電界強度を測定する他のチューナのＲＦＡＧＣ特性を、電界強度に応じて制御可能としたことを特徴としたものである。
【００１２】
第７の技術手段は、第５又は第６の技術手段において、前記ブースタのゲインを切り替えるための制御電圧値は、前記各チャンネルの電界強度を測定する他のチューナのＲＦＡＧＣ特性に基づいて設定されることを特徴としたものである。
【００１３】
而して、本発明のブースタ制御装置は、Ｓ／Ｎ改善のためのブースタを備えたテレビジョン装置において、ブースタによりチャンネル毎の電界強度を適正化して、強電界時にブースタ又はチューナが混変調を起こさないように、受信可能なすべてのチャンネルで良好な受信状態を確保できるようにしたものである。
【発明の効果】
【００１４】
複数のチューナのうちいずれか１つのチューナ（使用されていないチューナ）を用いてチャンネル毎の電界強度を定期的あるいは任意のタイミングで測定し、その測定結果に基づいてブースタの制御電圧を更新してメモリに取り込むことができるため、各チャンネルとも常に適切な電界強度で受信することができる。
また、電界強度の測定時にＲＦＡＧＣ特性を変化させることができるため、ＲＦＡＧＣレベルに基づいて適切にブースタの制御電圧を設定することができる。
また、複数のチューナのうちのいずれか１つのチューナを用いてチャンネル毎の電界強度を測定することができるため、ブースタのゲイン切り替えによるノイズ等の発生を防止することができる。
【発明を実施するための最良の形態】
【００１５】
図１は、本発明の一実施形態に係わるブースタ制御装置の構成例を示すブロック図で、図中、１０はブースタ制御装置で、該ブースタ制御装置１０は、アンテナ１１、アンテナ１１を介して入力されるテレビジョン信号を増幅するブースタ１２、第１のチューナ１５又は第２のチューナ１６で測定される各チャンネルの電界強度に応じた制御電圧に従ってブースタ１２のゲインを切り替えるゲイン切替回路１３、ブースタ１２から入力されるテレビジョン信号を第１のチューナ１５又は第２のチューナ１６に分配する分配器１４、各チャンネルの電界強度を測定可能な第１のチューナ１５及び第２のチューナ１６、第１のチューナ１５又は第２のチューナ１６で受信したチャンネルに応じた制御電圧値をメモリ１８から選択し、選択した制御電圧値の制御電圧をゲイン切替回路１３に入力してブースタ１２のゲインを切り替え制御する制御部１７，ゲイン切替回路１３（ブースタ１２）に入力する制御電圧値をチャンネル毎に記憶したメモリ１８を備えている。
【００１６】
上記メモリ１８には、チャンネルプリセット時において、各チャンネルを受信した第１のチューナ１５（又は第２のチューナ１６）からのＲＦＡＧＣレベルに基づいて適正な制御電圧値が記憶されている。
【００１７】
尚、本実施形態ではブースタ制御装置１０の構成例について示しているが、ブースタ制御装置１０を一体で設けたテレビジョン装置としての実施形態をとることもできる。
【００１８】
図１に示すブースタ制御装置１０において、例えば、第１のチューナ１５で所望のチャンネルを受信中に、２画面表示や裏録動作時以外に未使用状態となる第２のチューナ１６を用いてブースタ１２に入力する制御電圧の更新処理を行う。すなわち、第１のチューナ１５の使用時に、定期的あるいは任意のタイミングで、第２のチューナ１６がプリセットチャンネルを順次受信し、各チャンネルの電界強度を測定する。制御部１７は、第２のチューナ１６が測定した各チャンネルの電界強度に基づいて制御電圧値を求め、求めた制御電圧値と、メモリ１８に記憶されている制御電圧値とを比較し、その結果が異なる場合にメモリ１８に記憶されている制御電圧値を更新し、上記比較の結果が同じ場合には更新処理は行わずメモリ１８の制御電圧値を継続して利用する。メモリ１８に記憶されている制御電圧値（プリセット時の値）を、上記求めた制御電圧値に更新する場合、その更新する新たな制御電圧値がメモリ１８に記憶される。
【００１９】
尚、上記比較処理の結果に係わらず、メモリ１８に記憶されている制御電圧値を常に更新するようにしてもよく、この場合、比較結果が同じでもメモリ１８の制御電圧値は更新される。
【００２０】
ブースタ制御装置１０は、第１のチューナ１５を使用している間、第２のチューナ１６を用いて、上記制御電圧の更新処理を繰り返し実行し、電界強度の変化に応じて最適な制御電圧値をメモリ１８に登録しておくことができるため、急激な電界強度変化にも対応することができる。尚、上記実施形態とは逆に、第２のチューナ１６を使用している間に、第１のチューナ１５を用いて、上記制御電圧の更新処理を行うようにしてもよい。また、上記実施形態ではチューナ（第１のチューナ１５、第２のチューナ１６）を２つとしているが、２つ以上の複数個のチューナで構成するようにしてもよい。
【００２１】
本発明によると、複数のチューナのうちいずれか１つのチューナ（使用されていないチューナ）を用いてチャンネル毎の電界強度を定期的あるいは任意のタイミングで測定し、その測定結果に基づいてブースタの制御電圧を更新してメモリに取り込むことができるため、各チャンネルとも常に適切な電界強度で受信することができる。
また、複数のチューナのうちのいずれか１つのチューナを用いてチャンネル毎の電界強度を測定することができるため、ブースタのゲイン切り替えによるノイズ等の発生を防止することができる。
【００２２】
ここで、制御部１７から第２のチューナ１６（又は第１のチューナ１５）に接続されるＲＦＡＧＣ制御線は、電界強度に対する第２のチューナ１６（又は第１のチューナ１５）のＲＦＡＧＣ特性を変化させるためのもので、より電界強度が低い時点でＲＦＡＧＣレベルを下げるように制御するための制御線である。このＲＦＡＧＣ制御線を用いてチューナのＲＦＡＧＣ特性を変化させる方法について下記の図２に基づいて説明する。
【００２３】
図２は、チューナが測定する電界強度とＲＦＡＧＣレベルとの特性グラフを示す図で、図中、２１は通常のＲＦＡＧＣ特性、２２は電界強度測定用に特性を変化させたＲＦＡＧＣ特性である。弱電界領域では、ＲＦＡＧＣレベルはＭＡＸ（最大値）となり、強電界領域に近づくとそれに応じてＲＦＡＧＣレベルも低下してくる。図１に示したブースタ制御装置１０において、第２のチューナ１６のＲＦＡＧＣレベルに基づいてブースタ１２の制御電圧値を決定するが、チューナによってはＲＦＡＧＣレベルのＭＡＸから変化する電界値と、ブースタをＯＮすべき電界値が異なる場合がある。
そこで、図２に示すように、電界強度の測定時に制御部１７からの指示に基づいてチューナ（本例では第２のチューナ１６）のＲＦＡＧＣ特性を、通常のＲＦＡＧＣ特性２１からＲＦＡＧＣ特性２２に変化させて、ブースタ１２の制御電圧を設定するための値としてＲＦＡＧＣレベルを使用できるようにする。
【００２４】
本発明によると、電界強度の測定時にＲＦＡＧＣ特性を変化させることができるため、ＲＦＡＧＣレベルに基づいて適切にブースタの制御電圧を設定することができる。
【００２５】
図３は、本発明が適用される電界強度適正化方法を説明するためのフロー図である。本例では、図１に示したブースタ制御装置１０を用いて電界強度を適正化する方法について説明する。
まず、ブースタ制御装置１０は、第１のチューナ１５又は第２のチューナ１６を用いてチャンネルプリセット処理を行い（ステップＳ１）、第１のチューナ１５又は第２のチューナ１６で受信可能な各チャンネルの電界強度を測定し（ステップＳ２）、制御部１７は、電界強度を測定したチャンネル毎にブースタ１２の制御電圧を設定し、その制御電圧値をメモリ１８に記憶する（ステップＳ３）。次に、一方のチューナ（本例では第１のチューナ１５）で所望のチャンネルを受信し（ステップＳ４）、制御部１７は、第１のチューナ１５で受信したチャンネルに応じた制御電圧値をメモリ１８から参照し、その制御電圧値の制御電圧をブースタ１２に入力する（ステップＳ５）。ブースタ１２は、入力された制御電圧によってゲインを切り替えて適切な電界強度を確保する。
【００２６】
次に、他方のチューナ（本例では第２のチューナ１６）で各チャンネル（すなわち、プリセットされたチャンネル）の電界強度を測定し、ブースタ１２の制御電圧値を求める（ステップＳ６）。制御部１７は、第２のチューナ１６で求めた制御電圧値が、メモリ１８に記憶されている制御電圧値と異なるかどうか判断し（ステップＳ７）、両者が異なる場合（ＹＥＳの場合）、メモリ１８に記憶されている制御電圧値を、第２のチューナ１６で求めた新たな制御電圧値に更新する。この際、更新された新たな制御電圧値はメモリ１８に記憶される。
【００２７】
また、上記ステップＳ７において、両者が同じ場合（ＮＯの場合）、メモリ１８に記憶されている制御電圧値は更新せずにそのままとする。次に、制御部１７は、全チャンネルについて比較したかどうか判断し（ステップＳ９）、全チャンネルについて比較が終了していない場合（ＮＯの場合）、上記ステップＳ７に戻り処理を繰り返す。また、上記ステップＳ９において、全チャンネルについて比較が終了した場合（ＹＥＳの場合）、上記ステップＳ４に戻り、処理を繰り返す。
【００２８】
尚、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。
【図面の簡単な説明】
【００２９】
【図１】本発明の一実施形態に係わるブースタ制御装置の構成例を示すブロック図である。
【図２】チューナが測定する電界強度とＲＦＡＧＣレベルとの特性グラフを示す図である。
【図３】本発明が適用される電界強度適正化方法を説明するためのフロー図である。
【図４】従来の電界強度適正化回路の構成例を示すブロック図である。
【符号の説明】
【００３０】
１０…ブースタ制御装置、１１…アンテナ、１２，１０２…ブースタ、１３，１０３…ゲイン切替回路、１４，１０４…分配器、１５…第１のチューナ、１６…第２のチューナ、１７…制御部、１８，１０８…メモリ、２１…通常のＲＦＡＧＣ特性、２２…電界強度測定用に特性を変化させたＲＦＡＧＣ特性、１００…電界強度適正化回路、１０１…地上波用アンテナ、１０５，１０６…地上波チューナ、１０７…選局制御マイコン１０７。
【図１】
2005184486.tif 000003
【図２】
2005184486.tif 000004
【図３】
2005184486.tif 000005
【図４】
2005184486.tif 000006